(57)【要約】【課題】異常が発生した場合に、給電を停止できる上に、異常な状態でなくなったときに容易に給電を再開できるようにすることができる受電装置を提供する。【解決手段】受電回路ブロック２３が、ＰｏＥ給電装置２６からイーサネットケーブル７を介して電力を供給される。異常検出ブロック２５が、ＰｏＥ受電装置２０に異常が発生していることを検出する。異常検出ブロックが異常を検出した場合に、コントロールブロック２４が、ＰｏＥ給電装置２６に電力の供給を停止させるために、ＰｏＥ給電装置２６に、イーサネットケーブル７を介して所定値を超える電流値の電流を出力させる。【選択図】図２
2008294951.tif 000002
【特許請求の範囲】
【請求項１】
通信ケーブルを介して接続された出力先に電力を供給する給電装置であって、出力電流値が所定値を超えた場合に電力の供給を停止する給電装置に、前記通信ケーブルを介して接続される受電装置において、
前記給電装置から前記通信ケーブルを介して電力の供給を受ける受電手段と、
異常が発生していることを検出する異常検出手段とを備え、
前記受電手段は、前記異常検出手段が異常を検出した場合に、前記通信ケーブルを介して前記所定値を超える電流値の電流を前記給電装置に出力させる過電流発生手段を含む
ことを特徴とする受電装置。
【請求項２】
過電流発生手段は、所定値を超える電流値の電流を給電装置に出力させる場合に、通信ケーブルにおける２つの給電線間の抵抗値を、前記所定値に対応する値よりも低い値に設定する
請求項１記載の受電装置。
【請求項３】
通信ケーブルを介して接続された受電装置を検出する検出手段と、前記検出手段が受電装置を検出するとその受電装置に電力を供給する給電手段と、前記給電手段が出力する電流の電流値を検出する出力電流検出手段と、前記出力電流検出手段が検出した電流値が所定値を超えた場合に受電装置への電力供給を停止させる制御手段とを備えた給電装置において、
前記制御手段は、前記出力電流検出手段が検出した電流値が、所定期間内に所定回以上前記所定値を超えた場合に、前記検出手段の検出動作を禁止する
ことを特徴とする給電装置。
【請求項４】
情報を記憶する記憶手段を備え、
制御手段は、出力電流検出手段が検出した電流値が所定値を超えた回数の累積値を前記記憶手段に保存する
請求項３記載の給電装置。
【請求項５】
情報を記憶する記憶手段を備え、
制御手段は、出力電流検出手段が検出した電流値が所定値を超えたときの時刻を示す時刻情報を前記記憶手段に保存する
請求項３記載の給電装置。
【請求項６】
異常が発生していることを報知する報知手段を備え、
制御手段は、出力電流検出手段が検出した電流値が所定値を超えた場合に、前記報知手段を駆動する
請求項３から請求項５のうちのいずれか１項に記載の給電装置。
【発明の詳細な説明】
【技術分野】
【０００１】
本発明は、通信ケーブルを介して給電装置から受電装置に電力が供給されるシステムにおける受電装置および給電装置に関する。
【背景技術】
【０００２】
通信ケーブルを介して給電装置から受電装置に電力が供給されるシステムとして、ＩＥＥＥ８０２．３ａｆに準拠したシステムがある（非特許文献１参照）。そのようなシステムにおいて、受電装置に異常が発生したときに、受電装置が発熱したり、受電装置の機能（動作）が停止したりする場合がある。受電装置は、異常が発生したことを検出した場合に、異常を解消するように制御されることが望ましい。また、異常が解消される見込みがないときには、安全性を考慮した制御がなされることがより望ましい。
【０００３】
特許文献１には、出力電圧値が所定の範囲外の値である場合に、設置されているヒューズを溶断して、給電されている装置を保護する回路が記載されている。
【０００４】
特許文献２には、汎用電源にもとづく電力供給から、ＰｏＥ給電装置からの電力供給に切り替える回路が記載されている。
【０００５】
【特許文献１】特開平４−１０５５５９号公報（図１）
【特許文献２】特開２００７−３６８３２号公報（段落００１９〜００４９、図１）
【非特許文献１】「アイトリプルイー  スタンダード  ８０２．３ａｆ−２００３（ＩＥＥＥ  Ｓｔｄ  ８０２．３ａｆ−２００３）」、［ｏｎｌｉｎｅ］、２００３年、アイトリプルイー（ＩＥＥＥ）、［平成１９年５月１１日検索］、インターネット＜ＵＲＬ：http://standards.ieee.org/getieee802/download/802.3af-2003.pdf＞
【発明の開示】
【発明が解決しようとする課題】
【０００６】
図７は、ＩＥＥＥ８０２．３ａｆに準拠した受電装置（以下、ＰｏＥ（Ｐｏｗｅｒ  ｏｖｅｒ  Ｅｔｈｅｒｎｅｔ（登録商標））受電装置という）の一構成例を示すブロック図である。
【０００７】
図７に示すように、ＰｏＥ受電装置１０は、通信コネクタ１１、通信機能ブロック１２、異常検出ブロック１３、アラーム通知ブロック１４および受電回路ブロック１５を含む。なお、ＰｏＥ受電装置１０は、通信コネクタ１１に接続されたイーサネット（登録商標）ケーブルを介して、ＩＥＥＥ８０２．３ａｆに準拠した給電装置（以下、ＰｏＥ給電装置という）に接続され、給電装置から給電される。
【０００８】
図７に例示したＰｏＥ受電装置１０において、異常が発生し、異常検出ブロック１３が異常を検出した場合の動作について説明する。
【０００９】
異常検出ブロック１３が異常を検出した場合の制御方法として、（１）アラーム通知ブロック１４が、ＰｏＥ受電装置１０の使用者にアラーム通知を行う方法、（２）受電回路ブロック１５内に設置されたヒューズを切断（溶断）する方法、および（３）通信機能ブロック１２が、ＰｏＥ給電装置に異常が発生したことを通知する方法がある。
【００１０】
（１）のアラーム通知ブロック１４がＰｏＥ受電装置１０の使用者にアラーム通知を行う方法では、異常検出ブロック１３が異常の発生を検出した場合に、アラーム通知ブロック１４が、設置されているＬＥＤを点灯させたり、ブザーに音を発生させたりして、ＰｏＥ受電装置１０の使用者にアラーム通知する（異常が発生したことを報知する）。
【００１１】
ＰｏＥ受電装置１０の使用者がアラーム通知に気づいた場合に、ＰｏＥ受電装置１０の使用者は、ＰｏＥ受電装置１０の電源スイッチをオフにする操作を行う等の対応をすることが期待される。しかし、ＰｏＥ受電装置１０の使用者がアラーム通知に気づかない場合等に、異常な状態のＰｏＥ受電装置１０には給電が停止されずに継続される。なお、以下、給電が停止されずに継続されることを、定常的に給電されるという。
【００１２】
また、（２）受電回路ブロック１５内に設置されたヒューズを切断する方法では、異常検出ブロック１３が異常の発生を検出した場合に、受電回路ブロック１５内に設置されたヒューズが切断されて、ＰｏＥ受電装置１０の電源回路への電力供給が停止される。
【００１３】
ヒューズが切断されると、ＰｏＥ受電装置１０の使用者は、ＰｏＥ受電装置１０に動作を再開させるために修理（切断されたヒューズの交換等）をしなければならない。従って、上記（２）の方法には、発生した異常が、ＰｏＥ受電装置１０を再起動すれば解消する場合や、使用環境を変更してＰｏＥ受電装置１０の装置内温度を低下させれば解消する場合等であっても、ＰｏＥ受電装置１０の使用者は、ＰｏＥ受電装置１０に動作を再開させるために修理をしなければならないという問題がある。また、特許文献１に記載されている回路にも、同様な問題がある。
【００１４】
また、（３）通信機能ブロック１２が、ＰｏＥ給電装置に異常が発生したことを通知する方法では、通信機能ブロック１２に異常が発生した場合に、ＰｏＥ給電装置に異常が発生したことを通知することができず、使用者に異常の発生を気付かせることができないという問題がある。
【００１５】
そこで、本発明は、異常が発生した場合に、給電を停止できる上に、異常な状態でなくなったときに容易に給電を再開できるようにすることができる受電装置および給電装置を提供することを目的とする。また、異常の発生を使用者に気付かせることができるようにすることを目的とする。
【課題を解決するための手段】
【００１６】
本発明による受電装置は、通信ケーブルを介して接続された出力先に電力を供給する給電装置であって、出力電流値が所定値を超えた場合に電力の供給を停止する給電装置に、通信ケーブルを介して接続される受電装置であって、異常が発生していることを検出する異常検出手段とを備え、受電手段が、異常検出手段が異常を検出した場合に、通信ケーブルを介して所定値を超える電流値の電流を給電装置に出力させる過電流発生手段を含むことを特徴とする。
【００１７】
過電流発生手段は、所定値を超える電流値の電流を給電装置に出力させる場合に、通信ケーブルにおける２つの給電線間の抵抗値を、所定値に対応する値よりも低い値に設定するように構成されていてもよい。
【００１８】
本発明による給電装置は、通信ケーブルを介して接続された受電装置を検出する検出手段と、検出手段が受電装置を検出するとその受電装置に電力を供給する給電手段と、給電手段が出力する電流の電流値を検出する出力電流検出手段と、出力電流検出手段が検出した電流値が所定値を超えた場合に受電装置への電力供給を停止させる制御手段とを備えた給電装置であって、制御手段は、出力電流検出手段が検出した電流値が、所定期間内に所定回以上所定値を超えた場合に、検出手段の検出動作を禁止することを特徴とする。
【００１９】
情報を記憶する記憶手段を備え、制御手段が、出力電流検出手段が検出した電流値が所定値を超えた回数の累積値を記憶手段に保存するように構成されていてもよい。
【００２０】
情報を記憶する記憶手段を備え、制御手段が、出力電流検出手段が検出した電流値が所定値を超えたときの時刻を示す時刻情報を記憶手段に保存するように構成されていてもよい。
【００２１】
異常が発生していることを報知する報知手段を備え、制御手段が、出力電流検出手段が検出した電流値が所定値を超えた場合に、報知手段を駆動するように構成されていてもよい。
【発明の効果】
【００２２】
本発明によれば、受電装置において、異常検出手段が異常を検出した場合に、過電流発生手段が、所定値を超える電流値の電流を給電装置に出力させるので、異常が発生したときに、給電装置から定常的な電力供給を受けないようにすることができる。また、電力供給を受けないようにするときにヒューズを切断する等の部品の状態を変更するような処理を行わないので、異常な状態でなくなったときに容易に給電を再開できるようにすることができる。
【００２３】
また、本発明によれば、通信ケーブルを介して接続された受電装置を検出する検出手段と、検出手段が受電装置を検出するとその受電装置に電力を供給する給電手段と、給電手段が出力する電流の電流値を検出する出力電流検出手段と、出力電流検出手段が検出した電流値が所定値を超えた場合に受電装置への電力供給を停止させる制御手段とを備えた給電装置において、制御手段が、出力電流検出手段が検出した電流値が、所定期間内に所定回以上前記所定値を超えた場合に、検出手段の検出動作を禁止するので、給電装置に対して使用者による検出動作を再開させる処置等がなされない限り受電装置への給電が中止され、受電装置をより安全に制御することができる。また、出力電流検出手段が検出した電流値が所定期間内に所定回以上前記所定値を超えるという条件が成立する前では、制御手段が受電装置への電力供給を停止させるように制御した後、検出手段が受電装置を検出して給電手段がその受電装置に電力を再び供給するので、受電装置への電力供給と電力供給停止とが繰り返されて、異常の発生を使用者に気付かせることができる。
【発明を実施するための最良の形態】
【００２４】
実施例１．
本発明の第１の実施例を図面を参照して説明する。図１は、ＰｏＥ給電装置１に接続されたＰｏＥ受電装置４を示すブロック図である。なお、ＰｏＥ給電装置１およびＰｏＥ受電装置４は、定められた規格（例えば、ＩＥＥＥ８０２．３ａｆ）にもとづいて動作するとする。
【００２５】
図１に示すように、ＰｏＥ受電装置４は、イーサネットケーブル７を介してＰｏＥ給電装置１に接続され、ＰｏＥ給電装置１から電力が供給される。そして、図１に示す例では、ＰｏＥ給電装置１は、ＰｏＥ受電装置４に電力を供給する給電ブロック２、およびＰｏＥ受電装置４と情報を送受信する通信ブロック３を含む。また、図１に示す例では、ＰｏＥ受電装置４は、ＰｏＥ給電装置１から電力が供給される受電ブロック５、およびＰｏＥ給電装置１と情報を送受信する通信ブロック６を含む。
【００２６】
受電ブロック５は、ＰｏＥ受電装置４に異常が発生した場合に、ＰｏＥ給電装置１に過電流を発生させる。具体的には、受電ブロック５は、つまり、ＰｏＥ受電装置４は、ＩＥＥＥ８０２．３ａｆで定められた値を超える電流を、ＩＥＥＥ８０２．３ａｆで定められた時間よりも長い時間ＰｏＥ給電装置１に供給（出力）させるように制御する。ＰｏＥ受電装置４に対して過電流を流す状態になると、給電ブロック２は、過電流がＰｏＥ受電装置４に発生したことを検出する。つまり、ＰｏＥ給電装置１は、ＩＥＥＥ８０２．３ａｆで定められた値を超える電流を、ＩＥＥＥ８０２．３ａｆで定められた時間よりも長い時間ＰｏＥ受電装置４に供給したことを検出する。
【００２７】
給電ブロック２は、ＰｏＥ受電装置４の受電ブロック５に過電流を供給したことを検出した場合に、定められた規格にもとづいてＰｏＥ受電装置４への給電を停止する。
【００２８】
その後、ＰｏＥ給電装置１は、定められた規格にもとづいてＰｏＥ対応装置の検出処理を実行し、ＰｏＥ受電装置４が接続されていることを検出した場合に、ＰｏＥ受電装置４への給電を再開する。
【００２９】
しかし、ＰｏＥ受電装置４において異常が継続し、受電ブロック５がＰｏＥ給電装置１に過電流を発生させる状態が継続している場合には、ＰｏＥ給電装置１の給電ブロック２は、ＰｏＥ受電装置４への給電を再度停止する。
【００３０】
以上のように、ＰｏＥ給電装置１の給電ブロック２は、ＰｏＥ受電装置４において異常が継続している場合に、給電の再開と停止とを繰り返すが、ＰｏＥ受電装置４への定常的な給電を行わない。
【００３１】
図２は、本発明の第１の実施例のＰｏＥ受電装置のより詳細な構成を示すブロック図である。図２に示すＰｏＥ受電装置２０の構成は、図１に示されたＰｏＥ受電装置４の構成を詳細化したものに相当する。図２に示すように、ＰｏＥ受電装置２０は、通信コネクタ２１、通信機能ブロック２２、受電回路ブロック（受電手段）２３、コントロールブロック（過電流発生手段）２４、受電回路２７、および異常検出ブロック（異常検出手段）２５を含む。また、図２に示すように、ＰｏＥ受電装置２０は、通信コネクタ２１に接続されたイーサネットケーブル７を介して、ＰｏＥ給電装置２６に接続されている。また、受電回路ブロック２３は、受電回路２７およびコントロールブロック２４を含む。受電回路２７は、ＰｏＥ受電機能を備えている。なお、ＰｏＥ受電装置２０は、例えば、ＰｏＥ受電機能を備えたルータである。また、図２に示すＰｏＥ給電装置２６は、図１に示されたＰｏＥ給電装置１に相当する。
【００３２】
なお、起動手段は、ＰｏＥ受電装置２０に搭載されたＣＰＵ等の制御手段によって実現される。
【００３３】
通信機能ブロック２２は、通信コネクタ２１およびイーサネットケーブル７を介して、ＰｏＥ給電装置２６と情報を送受信する。受電回路ブロック２３は、通信コネクタ２１およびイーサネットケーブル７を介してＰｏＥ給電装置２６から供給された電力を、ＰｏＥ受電装置２０の各部に供給する。
【００３４】
異常検出ブロック２５は、ＰｏＥ受電装置２０に異常が発生した場合（異常が発生している場合であってもよい）に、異常が発生したことをコントロールブロック２４に通知する。コントロールブロック２４は、異常検出ブロック２５から異常が発生したことが通知された場合に、受電回路ブロック２３を、ＰｏＥ給電装置２６に過電流を発生させる状態にする。具体的には、例えば、コントロールブロック２４が、受電回路ブロック２３に設置されているトランジスタを、受電回路ブロック２３（具体的には、受電回路２７）における接地電位の端子と、＋電位の端子とを短絡させるように制御する。なお、過電流を発生させるための構成は、給電線に接続される２つの端子を短絡する構成に限られない。規定値を超える電流が流れるように、給電線に接続される２つの端子間の抵抗値を下げればよい。
【００３５】
異常検出ブロック２５として、例えば、ＰｏＥ受電装置２０内の温度が所定の温度を超えている場合に、異常が発生したことを検出する温度センサを用いることができる。異常検出ブロック２５を、例えば、ＰｏＥ受電装置２０に設置されているＩＣ等のデバイスを監視して、当該デバイスが異常を示すデータを出力した場合や、入力されたデータに対して応答しない場合に、異常が発生したと判断するＣＰＵ等の制御手段にすることもできる。
【００３６】
次に、本発明の第１の実施例の動作を図面を参照して説明する。図３は、ＰｏＥ給電装置２６とＰｏＥ受電装置２０との動作を示すフローチャートである。
【００３７】
ＰｏＥ給電装置２６は、イーサネットケーブル７を介して接続されたＰｏＥ受電装置２０を検出し（ステップＳ１０１）、ＰｏＥ受電装置２０への給電を開始する（ステップＳ１０２）。
【００３８】
ＰｏＥ給電装置２６からイーサネットケーブル７を介して給電されたＰｏＥ受電装置２０は、起動処理を実行して（ステップＳ１０３）、通常運転を行う（ステップＳ１０４）。ＰｏＥ受電装置２０がＰｏＥ受電機能を備えたルータである場合に、ＰｏＥ受電装置２０は、接続された一の通信ネットワークを介して送信されたデータを、他の通信ネットワークを介して送信する処理を行う。
【００３９】
ＰｏＥ受電装置２０は、異常検出ブロック２５が、ＰｏＥ受電装置２０に異常が発生したことを検出しない場合に（ステップＳ１０５のＮ）、通常運転を継続する（ステップＳ１０４）。異常検出ブロック２５は、ＰｏＥ受電装置２０に異常が発生したことを検出した場合に（ステップＳ１０５のＹ）、異常が発生したことをコントロールブロック２４に通知する（ステップＳ１０６）。コントロールブロック２４は、受電回路ブロック２３を、ＰｏＥ給電装置２６に過電流を発生させる状態にする（ステップＳ１０７）。
【００４０】
ＰｏＥ給電装置２６は、定められた規格にもとづいて動作し、過電流を出力したことを検出する（ステップＳ１０８）。そして、ＰｏＥ給電装置２６は、定められた規格にもとづいてＰｏＥ受電装置２０への給電を停止する（ステップＳ１０９）。給電を停止されたＰｏＥ受電装置２０は、動作を停止する（ステップＳ１１０）。
【００４１】
ＰｏＥ給電装置２６は、ＰｏＥ受電装置２０への給電を停止したので、定められた規格にもとづいてＰｏＥ受電装置２０の検出処理を実行する（ステップＳ１０１）。ＰｏＥ受電装置２０は検出されるので、ＰｏＥ給電装置２６は再び給電を開始するが、ＰｏＥ給電装置２６において異常が継続している場合には、ＰｏＥ給電装置２６は、再び過電流を出力する状態になり、過電流を出力したことを検出して給電を停止する。
【００４２】
ＰｏＥ受電装置２０に対して、異常が解消されるまで給電と給電停止とが繰り返される。しかし、ＰｏＥ受電装置２０の異常が解消されるまで、定常的に給電されることはない。従って、異常が発生したＰｏＥ受電装置２０が継続して動作することを防ぐことができる。
【００４３】
本実施例によれば、ＰｏＥ受電装置２０に異常が発生した場合に、受電回路ブロック２３をＰｏＥ給電装置２６に過電流を発生させる状態にし、ＩＥＥＥ８０２．３ａｆに準拠したＰｏＥ給電装置に給電の停止を促すので、ＰｏＥ受電装置２０に、異常の解消を試みる制御（再起動）を実施させることができる。また、ＰｏＥ給電装置２６に過電流を発生させるための構成を、例えば、トランジスタを用いた簡易な構成で実現することができるので、ＩＥＥＥ８０２．３ａｆに準拠したＰｏＥ給電装置と、当該ＰｏＥ給電装置に給電の停止を促すＰｏＥ受電装置２０とを含む機器制御システムを、低コストで構築することができる。
【００４４】
また、本実施例によれば、ＩＥＥＥ８０２．３ａｆに準拠したＰｏＥ給電装置の給電停止処理を利用して、ＰｏＥ受電装置２０の機能を強制的に損失させる（例えば、受電装置２０に設置されたヒューズを溶断させる）ことなくＰｏＥ受電装置２０への給電を停止させるので、異常が解消した場合に、修理することなくＰｏＥ受電装置２０に通常運転を再開させることができる。
【００４５】
また、本実施例によれば、例えば使用者がＰｏＥ受電装置２０が異常の解消を試みる制御（再起動）を実施しても異常が解消されない場合に、ＰｏＥ受電装置２０は、動作停止と再起動とを繰り返す。従って、ＰｏＥ受電装置２０がアラーム通知機能を有していない場合であっても、当該ＰｏＥ受電装置２０の使用者に、異常が発生したことを認識させることができる。
【００４６】
実施例２．
次に、本発明の第２の実施例を図面を参照して説明する。図４は、ＰｏＥ給電装置３０とＰｏＥ受電装置２０との構成例を示すブロック図である。なお、図４に示すＰｏＥ受電装置２０の構成は、図２に示すＰｏＥ受電装置２０の構成と同様である。
【００４７】
図４に示すように、ＰｏＥ給電装置３０は、通信コネクタ３２、通信機能ブロック３１、給電回路ブロック（給電手段、検出手段）３４、コントロールブロック（制御手段）３３、給電回路３７および過電流検出ブロック（出力電流検出手段）３５を含む。また、図４に示すように、ＰｏＥ給電装置３０の通信コネクタ３２とＰｏＥ受電装置２０の通信コネクタ２１とは、イーサネットケーブル７を介して接続されている。また、給電回路ブロック３４は、給電回路３７およびコントロールブロック３３を含む。給電回路３７は、ＰｏＥ給電機能を備えている。
【００４８】
通信機能ブロック３１は、通信コネクタ３２およびイーサネットケーブル７を介して、ＰｏＥ受電装置２０と情報を送受信する。給電回路ブロック３４は、通信コネクタ３２およびイーサネットケーブル７を介してＰｏＥ受電装置２０に電力を供給する。
【００４９】
過電流検出ブロック３５は、出力電流の電流値を監視し、過電流が発生したこと、すなわち出力電流値が規格等で定められている所定値を超えたことを検出した場合に、過電流が発生したことをコントロールブロック３３に通知する。具体的には、過電流検出ブロック３５は、例えば、給電回路ブロック３４が通信コネクタ３２およびイーサネットケーブル７を介してＰｏＥ受電装置２０に所定の電流値（例えば、４００ｍＡ）を超える電流を、所定の時間（例えば、７５ｍｓ）よりも長い時間供給（出力）した場合に、過電流が発生したことを示す過電流通知情報をコントロールブロック３３に入力する。
【００５０】
コントロールブロック３３は、過電流通知ブロック３５から過電流通知情報が入力された場合に、給電回路ブロック３４に給電を停止させる。さらに、コントロールブロック３３は、過電流通知ブロック３５から入力された過電流通知情報によって所定の条件が満たされた場合に、給電回路ブロック３４に給電を中止させる。なお、給電回路ブロック３４は、コントロールブロック３３によって給電を停止された場合に、イーサネットケーブル７を介してＰｏＥ受電装置が接続されているか否かの検出処理を実行する。しかし、給電回路ブロック３４は、コントロールブロック３３によって給電を中止された場合には、イーサネットケーブル７を介してＰｏＥ受電装置が接続されているか否かの検出処理を実行しない。
【００５１】
コントロールブロック３３が給電回路ブロック３４に給電を中止させる所定の条件とは、例えば、過電流通知情報の入力頻度が所定の条件を満たすことをいう。具体的には、例えば、過電流通知情報が５分間に２回以上入力された場合である。なお、コントロールブロック３３が給電回路ブロック３４に給電を中止させる所定の条件は、ＰｏＥ受電装置２０に応じて設定され、ＰｏＥ受電装置２０に異常が発生していないときに単発的に発生した過電流にもとづいて入力された過電流通知情報によって当該所定の条件を満たされないように設定されることが好ましい。
【００５２】
次に、本発明の第２の実施例の動作を図面を参照して説明する。図５は、ＰｏＥ給電装置３０とＰｏＥ受電装置２０との動作を示すフローチャートである。
【００５３】
ＰｏＥ給電装置３０の給電回路ブロック３４は、イーサネットケーブル７を介して接続されたＰｏＥ受電装置２０を検出し（ステップＳ２０１）、ＰｏＥ受電装置２０への給電を開始する（ステップＳ２０２）。
【００５４】
ＰｏＥ給電装置３０からイーサネットケーブル７を介して給電されたＰｏＥ受電装置２０は、起動処理を実行して（ステップＳ２０３）、通常運転を行う（ステップＳ２０４）。
【００５５】
ＰｏＥ受電装置２０は、異常検出ブロック２５が、ＰｏＥ受電装置２０に異常が発生したことを検出しない場合に（ステップＳ２０５のＮ）、通常運転を継続する（ステップＳ２０４）。異常検出ブロック２５は、ＰｏＥ受電装置２０に異常が発生したことを検出した場合に（ステップＳ２０５のＹ）、異常が発生したことをコントロールブロック２４に通知する（ステップＳ２０６）。コントロールブロック２４は、受電回路ブロック２３を、ＰｏＥ給電装置２６に過電流を発生させる状態にする（ステップＳ２０７）。
【００５６】
ＰｏＥ給電装置３０の過電流検出ブロック３５は、給電回路ブロック３４が、過電流を出力したことを検出する（ステップＳ２０８）。そして、過電流検出ブロック３５は、コントロールブロック３３に、過電流通知情報を出力する（ステップＳ２０９）。コントロールブロック３３は、過電流通知情報が入力されたことによって所定の条件が満たされたか否か判断する（ステップＳ２１０）。
【００５７】
コントロールブロック３３は、過電流通知情報が入力されても所定の条件が満たされていないと判断した場合に（ステップＳ２１０のＮ）、定められた規格にもとづいて給電回路ブロック３４にＰｏＥ受電装置２０への給電を停止させる（ステップＳ２１１）。給電を停止されたＰｏＥ受電装置２０は、動作を停止する（ステップＳ２１２）。ＰｏＥ給電装置３０は、ステップＳ２０１の処理に移行する。
【００５８】
また、コントロールブロック３３は、過電流通知情報が入力されたことによって所定の条件が満たされたと判断した場合に（ステップＳ２１０のＹ）、給電回路ブロック３４にＰｏＥ受電装置２０への給電を中止させる（ステップＳ２１３）。給電を中止されたＰｏＥ受電装置２０は、動作を停止する（ステップＳ２１４）。ＰｏＥ給電装置３０およびＰｏＥ受電装置２０は処理を終了する。つまり、ＰｏＥ給電装置３０は、ステップＳ２０１の処理に移行しない。換言すれば、コントロールブロック３３によって、給電回路ブロック３４の受電装置を検出する動作が禁止される。
【００５９】
本実施例によれば、前述した第１の実施例の効果と同様な効果に加えて、コントロールブロック３３が、過電流通知情報が入力されたことによって所定の条件が満たされたと判断した場合に、ＰｏＥ給電装置３０の給電回路ブロック３４にＰｏＥ受電装置２０への給電を中止させて処理を終了するので、ＰｏＥ給電装置３０の使用者による対応がなされるまで再びＰｏＥ受電装置２０に給電されることがなくなり、ＰｏＥ受電装置２０をより安全に制御することができるという効果を奏する。
【００６０】
実施例３．
次に、本発明の第３の実施例を図面を参照して説明する。図６は、ＰｏＥ給電装置４０とＰｏＥ受電装置２０との構成例を示すブロック図である。なお、図６に示すＰｏＥ受電装置２０の構成は、図２に示すＰｏＥ受電装置２０の構成と同様である。
【００６１】
図６に示すように、ＰｏＥ給電装置４０は、図４に示すＰｏＥ給電装置３０の各構成要素に加えて、アラーム通知ブロック（報知手段）６６、および情報記憶ブロック（記憶手段）６７を含む。その他の構成要素は、図４に示すＰｏＥ給電装置３０の各構成要素と同様である。
【００６２】
なお、本実施例では、コントロールブロック３３は、過電流検出ブロック３５から過電流通知情報が入力された場合に、情報記憶ブロック６７に設けられている異常検出回数カウンタの値を１増やしたり、過電流通知情報が入力された時間（給電回路ブロック３４が過電流を出力した時間でもよい）を示す情報を含むアラーム情報を情報記憶ブロック６７に記憶させる。
【００６３】
アラーム通知ブロック６６は、例えば、光や音を出力する機能を有し、ＬＥＤやブザ等によって実現され、ＰｏＥ給電装置４０の使用者にアラームを通知（報知）する。コントロールブロック３３は、過電流検出ブロック３５から過電流通知情報が入力された場合に、アラーム通知ブロック６６を制御して、ＬＥＤを点灯させたり、ブザーに音を出力させたりする。
【００６４】
本実施例によれば、上記の第１の実施例および第２の実施例の効果と同様な効果に加えて、コントロールブロック３３が、過電流検出ブロック３５から過電流通知情報が入力された場合に、ＬＥＤを点灯させたり、ブザーに音を出力させたりするので、ＰｏＥ受電装置２０に給電しているか否かに関わらず、ＰｏＥ給電装置４０の使用者へアラームを通知し、ＰｏＥ受電装置２０をより安全に制御することができる。
【００６５】
また、本実施例によれば、情報記憶ブロック６７が、過電流通知情報がコントロールブロック３３に入力された時間を示す情報を含むアラーム情報を記憶するので、ＰｏＥ給電装置４０がＰｏＥ受電装置２０への給電を停止した後で、ＰｏＥ給電装置４０の使用者が、情報記憶ブロック６７に記憶されているアラーム情報にもとづいて、異常が発生した時間や頻度を解析することができる。
【００６６】
また、ＰｏＥ受電装置２０の異常に関するアラーム情報がＰｏＥ給電装置４０において記憶されるので、異常が発生したことを示す情報を保持させるためのバックアップ電源等をＰｏＥ受電装置２０に設ける必要はなく、ＩＥＥＥ８０２．３ａｆに準拠したＰｏＥ給電装置と、当該ＰｏＥ給電装置に給電の停止を促すＰｏＥ受電装置とを含む機器制御システムを、低コストで構築することができる。
【産業上の利用可能性】
【００６７】
本発明を、ＰｏＥ受電機能を有する受電装置、およびＰｏＥ給電機能を有する給電装置に適用できる。
【図面の簡単な説明】
【００６８】
【図１】ＰｏＥ給電装置に接続されたＰｏＥ受電装置を示すブロック図である。
【図２】第１の実施例のＰｏＥ受電装置を示すブロック図である
【図３】第１の実施例のＰｏＥ給電装置とＰｏＥ受電装置との動作を示すフローチャートである。
【図４】第２の実施例のＰｏＥ給電装置とＰｏＥ受電装置との構成例を示すブロック図である。
【図５】第２の実施例のＰｏＥ給電装置とＰｏＥ受電装置との動作を示すフローチャートである。
【図６】第３の実施例のＰｏＥ給電装置とＰｏＥ受電装置との構成例を示すブロック図である。
【図７】ＰｏＥ受電装置の一構成例を示すブロック図である。
【符号の説明】
【００６９】
１，２６  ＰｏＥ給電装置
２    給電ブロック
３，６  通信ブロック
４，２０  ＰｏＥ給電装置
５    受電ブロック
７    イーサネットケーブル
２１，３２  通信コネクタ
２２，３１  通信機能ブロック
２３  受電回路ブロック
２４，３３  コントロールブロック
２５  異常検出ブロック
２７  受電回路
３４  給電回路ブロック
３５  過電流検出ブロック
３７  給電回路
６６  アラーム通知ブロック
６７  情報記憶ブロック
【図１】
2008294951.tif 000003
【図２】
2008294951.tif 000004
【図３】
2008294951.tif 000005
【図４】
2008294951.tif 000006
【図５】
2008294951.tif 000007
【図６】
2008294951.tif 000008
【図７】
2008294951.tif 000009